(57)【要約】【課題】いわゆる載置方式の排水栓装置において、支持軸機構からの栓蓋の外れを効果的に防止する。【解決手段】排水栓装置１は、筒状の保持部材４１、及び、保持部材４１の内周に配置され、少なくとも開放時位置と閉鎖時位置との間で上下動可能な支持軸４２Ａを具備する支持軸機構４と、少なくとも支持軸４２Ａが開放時位置に配置された状態において、支持軸４２Ａの上端面に載置される栓蓋３とを備える。栓蓋３は、支持軸４２Ａの上下動に伴い保持部材４１の外周を移動するガイド部３２を有する。ガイド部３２の内周には、内向突部３２Ａが設けられ、保持部材４１の外周には、外向突部４１Ｇが設けられる。外向突部４１Ｇは、内向突部３２Ａの配置位置よりも常に上方に位置し、支持軸４２Ａの上端面から栓蓋３が離間したときに、内向突部３２Ａに接触可能である。【選択図】      図１
2015071898.tif 000002
【特許請求の範囲】
【請求項１】
槽体の排水口に挿設される筒状の保持部材、及び、当該保持部材の内周に配置されるとともに、少なくとも上方側の開放時位置と当該開放時位置よりも下方側の閉鎖時位置との間で上下動可能な支持軸を具備する支持軸機構と、
少なくとも前記支持軸が前記開放時位置に配置された状態において、前記支持軸の上端面に載置される栓蓋とを備え、
前記栓蓋は、前記保持部材が内周に配置され、前記支持軸の上下動に伴い前記保持部材の外周を移動するガイド部を有し、
前記支持軸が前記閉鎖時位置に配置されたときに、前記栓蓋が前記槽体又は前記槽体に設けられた部材である接触対象部に接触することで、前記排水口を閉鎖可能な排水栓装置であって、
前記ガイド部の内周には、内周に向けて突出する内向突部が設けられ、
前記保持部材の外周には、外周に向けて突出する外向突部が設けられ、
前記外向突部は、前記内向突部の配置位置よりも常に上方に位置し、前記支持軸の上端面から前記栓蓋が離間したときに、前記内向突部に接触可能であることを特徴とする排水栓装置。
【請求項２】
少なくとも前記支持軸が前記閉鎖時位置に配置された状態において、前記支持軸機構の上端面が平坦状であることを特徴とする請求項１に記載の排水栓装置。
【請求項３】
前記支持軸の上端部には、第１の磁石が設けられるとともに、
前記栓蓋のうち前記支持軸の上端部の上方に配置される部位には、前記第１の磁石に引き寄せられる第２の磁石が設けられることを特徴とする請求項１又は２に記載の排水栓装置。
【請求項４】
前記第１の磁石は、前記支持軸の内部に設けられることを特徴とする請求項３に記載の排水栓装置。
【請求項５】
前記支持軸機構は、前記支持軸に対して下方側に向けた力を加える戻し部材を備えることを特徴とする請求項１乃至４のいずれか１項に記載の排水栓装置。
【請求項６】
前記支持軸の上下動に伴い前記栓蓋が移動する際に、前記内向突部が前記保持部材の外周面に沿って移動することを特徴とする請求項１乃至５のいずれか１項に記載の排水栓装置。
【請求項７】
前記支持軸の上下動に伴い前記栓蓋が移動する際に、前記ガイド部は、その内周面が前記外向突部の最外部に沿って移動することを特徴とする請求項１乃至６のいずれか１項に記載の排水栓装置。
【発明の詳細な説明】
【技術分野】
【０００１】
本発明は、槽体の排水口に設けられる排水栓装置に関する。
【背景技術】
【０００２】
排水栓装置は、槽体（例えば、浴槽や洗面器など）の排水口を開閉するためのものであり、排水口に設けられた栓蓋と、当該栓蓋を支持する支持軸機構とを備えている。支持軸機構は、栓蓋を上下動可能に支持する支持軸と、当該支持軸の外周に設けられた筒状の保持部材とを備えている。
【０００３】
また、従来において、所定の戻りバネなどにより支持軸に下方側に向けた力を加え、槽体や槽体に設けられた接触対象部（例えば、排水口と排水用の配管とを接続するための排水口部材など）に栓蓋の外縁部を比較的大きな圧力で接触させることにより、排水口のより確実な閉鎖を図る手法が提案されている。尚、当該手法では、栓蓋の外縁部を槽体等に比較的大きな圧力で接触させた際に、支持軸から栓蓋が外れてしまうことを防止すべく、支持軸が栓蓋に嵌合される構成（いわゆる嵌合方式）となっている（例えば、特許文献１等参照）。嵌合方式においては、例えば、図７に示すように、支持軸１１１を栓蓋１１２の背面に形成された取付穴１１２Ａに挿通するとともに、前記取付穴１１２Ａを形成する部位の内周に設けられた爪部１１２Ｂを支持軸１１１の外周に設けられた凹部１１１Ａに対して入り込ませることで、支持軸１１１が栓蓋１１２に嵌合される。
【０００４】
ところで、上記手法では、爪部や凹部を設ける必要があるため、構造の複雑化を招いてしまうおそれがある。また、上記手法では、支持軸から栓蓋が外れてしまうことを防止すべるために、凹部を深くし、凹部に対する爪部の入り込み量を比較的大きくする必要がある。そのため、深い凹部などの存在により、清掃性の低下を招いてしまうおそれがある。
【０００５】
そこで、支持軸の上端面に栓蓋が載置される構成（いわゆる載置方式）とし、栓蓋がその自重により槽体等に接触することで、排水口を閉鎖する手法が知られている。当該手法によれば、凹部等を設ける必要がないため、構造の簡素化、及び、良好な清掃性を実現することができる。尚、当該手法では、支持軸の上動により栓蓋が持ち上げられることで、排水口が開放される。また、支持軸の移動による栓蓋の上下動をガイドすべく、栓蓋の背面には下方に向けて突出するガイド部が設けられている。ガイド部は、前記保持部材の外周に配置されており、栓蓋が上下動する際には、保持部材の外周に沿って移動する。
【先行技術文献】
【特許文献】
【０００６】
【特許文献１】特開２０１１−２４１６６５号公報
【発明の概要】
【発明が解決しようとする課題】
【０００７】
しかしながら、上述した載置方式では、支持軸を勢いよく上動させた場合などに、ガイド部が支持軸機構（保持部材）から外れてしまい、ひいては支持軸機構から栓蓋が外れてしまうおそれがある。
【０００８】
本発明は、上記事情を鑑みてなされたものであり、いわゆる載置方式の排水栓装置において、支持軸機構からの栓蓋の外れを効果的に防止することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．槽体の排水口に挿設される筒状の保持部材、及び、当該保持部材の内周に配置されるとともに、少なくとも上方側の開放時位置と当該開放時位置よりも下方側の閉鎖時位置との間で上下動可能な支持軸を具備する支持軸機構と、
少なくとも前記支持軸が前記開放時位置に配置された状態において、前記支持軸の上端面に載置される栓蓋とを備え、
前記栓蓋は、前記保持部材が内周に配置され、前記支持軸の上下動に伴い前記保持部材の外周を移動するガイド部を有し、
前記支持軸が前記閉鎖時位置に配置されたときに、前記栓蓋が前記槽体又は前記槽体に設けられた部材である接触対象部に接触することで、前記排水口を閉鎖可能な排水栓装置であって、
前記ガイド部の内周には、内周に向けて突出する内向突部が設けられ、
前記保持部材の外周には、外周に向けて突出する外向突部が設けられ、
前記外向突部は、前記内向突部の配置位置よりも常に上方に位置し、前記支持軸の上端面から前記栓蓋が離間したときに、前記内向突部に接触可能であることを特徴とする排水栓装置。
【００１１】
上記手段１によれば、支持軸の上端面に栓蓋が載置される構成であり、栓蓋が槽体や接触対象部に接触することで、排水口が閉鎖されるように構成されている。従って、凹部等を支持軸等に設ける必要がなく、構造の簡素化、及び、良好な清掃性を実現することができる。
【００１２】
一方で、支持軸に栓蓋が載置される構成であるため、排水口を開放すべく支持軸を勢いよく上動させた場合などに、支持軸機構から栓蓋が外れてしまうことが考えられるが、上記手段１によれば、支持軸の上端面から栓蓋が離間したときに、ガイド部の内向突部が保持部材の外向突部へと接触可能となっている。従って、支持軸機構から栓蓋が外れてしまうことをより確実に防止することができる。
【００１３】
また、外向突部は、常に内向突部の配置位置よりも上方に位置するように構成されている。従って、通常の使用時において支持軸ひいては栓蓋を上下動させた際に、外向突部に対して内向突部が接触することがない。これにより、支持軸ひいては栓蓋をスムーズに移動させることができ、良好な操作性を確保することができる。
【００１４】
さらに、外向突部を常に内向突部の配置位置よりも上方に位置させるために、外向突部は、正常時における内向突部の下限位置（より詳しくは、栓蓋が正常に取付けられた支持軸を閉鎖時位置に配置したときにおける内向突部の位置）から上方側に大きく離れた位置に設けられることとなる。従って、支持軸機構に対する栓蓋の取付が不完全であり、外向突部上に内向突部が乗る状態となった場合には、支持軸を閉鎖時位置に配置したときに、正常時における栓蓋の位置と比較して、栓蓋の位置が上方側に大きくずれることとなる。すなわち、支持軸機構に対する栓蓋の取付が不完全であるときには、栓蓋が上方側へと大きく突出した状態となる。そのため、栓蓋を視認することや、槽体から水が流出してしまう（槽体に水を溜めることができない）といったことにより、使用者に対して、支持軸機構に対する栓蓋の取付が不完全であることを容易に認識させることができる。
【００１５】
手段２．少なくとも前記支持軸が前記閉鎖時位置に配置された状態において、前記支持軸機構の上端面が平坦状であることを特徴とする手段１に記載の排水栓装置。
【００１６】
上記手段２によれば、清掃等のために、支持軸機構から栓蓋を取外した状態において、支持軸機構の上端部の見栄えがよくなり、外観品質の向上を図ることができる。また、支持軸の存在に起因する大きな凹凸が支持軸機構の上端面に存在しないため、支持軸機構を一層容易に清掃することができ、清掃性をさらに高めることができる。
【００１７】
手段３．前記支持軸の上端部には、第１の磁石が設けられるとともに、
前記栓蓋のうち前記支持軸の上端部の上方に配置される部位には、前記第１の磁石に引き寄せられる第２の磁石が設けられることを特徴とする手段１又は２に記載の排水栓装置。
【００１８】
上記手段３によれば、両磁石により、支持軸に対して栓蓋が引き寄せられることとなる。そのため、支持軸から栓蓋が外れにくくなり、上記手段１の作用効果と相俟って、支持軸機構からの栓蓋の外れをより効果的に防止することができる。また、支持軸の上端面に栓蓋を載置するだけで、支持軸に対して栓蓋を安定した状態で取付けることができる。
【００１９】
手段４．前記第１の磁石は、前記支持軸の内部に設けられることを特徴とする手段３に記載の排水栓装置。
【００２０】
上記手段４によれば、支持軸の外部に第１の磁石が顕出せず、また、支持軸の外部に第１の磁石に起因する段差や溝等が形成されなくなる。従って、外観品質及び清掃性の更なる向上を図ることができる。
【００２１】
手段５．前記支持軸機構は、前記支持軸に対して下方側に向けた力を加える戻し部材を備えることを特徴とする手段１乃至４のいずれかに記載の排水栓装置。
【００２２】
上記手段５によれば、排水口を閉鎖すべく支持軸を下動させた際に、戻し部材からの力によって、支持軸を閉鎖時位置へとより確実に移動させることができる。従って、排水口を閉鎖する際に、例えば、異物等の存在によって、支持軸が閉鎖時位置へと戻らず、栓蓋が槽体等から浮いてしまうことを効果的に防止できる。その結果、槽体等に対して栓蓋をより確実に密着させることができ、排水口のより確実な閉鎖を図ることができる。
【００２３】
さらに、上記手段３を合わせて採用した場合には、両磁石により栓蓋が支持軸に対して引き寄せられるため、戻し部材からの力が栓蓋にも伝わることとなる。従って、排水口の閉鎖時には、戻し部材から加わる力により、栓蓋を槽体等に対して強く押し付けることができる。その結果、排水口の一層確実な閉鎖を図ることができる。
【００２４】
手段６．前記支持軸の上下動に伴い前記栓蓋が移動する際に、前記内向突部が前記保持部材の外周面に沿って移動することを特徴とする手段１乃至５のいずれかに記載の排水栓装置。
【００２５】
上記手段６によれば、支持軸を上下動させて栓蓋を移動させる際に、内向突部によって栓蓋の移動がガイドされることとなる。従って、栓蓋の移動時に、栓蓋にガタツキが生じにくくなり、排水口を閉鎖する際に、栓蓋を槽体等における狙いの部位へとより確実に接触させることができる。その結果、槽体等に対して栓蓋を一層確実に密着させることが可能となり、排水口をより一層確実に閉鎖することができる。
【００２６】
手段７．前記支持軸の上下動に伴い前記栓蓋が移動する際に、前記ガイド部は、その内周面が前記外向突部の最外部に沿って移動することを特徴とする手段１乃至６のいずれかに記載の排水栓装置。
【００２７】
上記手段７によれば、支持軸を上下動させて栓蓋を移動させる際に、外向突部によって栓蓋の移動をガイドされることとなる。従って、上記手段６と同様の作用効果が奏されることなり、排水口のより一層確実な閉鎖が可能となる。
【図面の簡単な説明】
【００２８】
【図１】排水口を閉鎖した状態における排水栓装置を示す一部破断正面図である。
【図２】排水口を開放した状態における排水栓装置を示す一部破断正面図である。
【図３】（ａ）は、閉鎖時位置に配置された支持軸の上端面と外筒部の上端面との位置関係を示す一部破断拡大正面図であり、（ｂ）は、支持軸が閉鎖時位置に配置された状態における支持軸機構の上端面を示す拡大斜視図である。
【図４】第２実施形態における第１、第２の磁石等を示す一部破断正面図である。
【図５】第３実施形態における戻し部材等を示す一部破断正面図である。
【図６】別の実施形態における支持軸等を示す一部破断正面図である。
【図７】従来技術における排水栓装置の一例を示す一部破断正面図である。
【発明を実施するための形態】
【００２９】
以下に、一実施形態について図面を参照しつつ説明する。図１に示すように、排水栓装置１は、槽体としての浴槽１００に取付けられており、排水口部材２と、栓蓋３と、支持軸機構４とを備えている。尚、浴槽１００は、成形品であり、その底壁部１０１に、浴槽１００内の水を排出するための排水口１０２を備えている。
【００３０】
排水口部材２は、樹脂等により筒状に形成されており、外周面に設けられた雄ねじ部２１と、自身の上端部から外周側に突出する環状の鍔部２２とを備えている。また、排水口部材２は、前記雄ねじ部２１を外周に有する筒状部位が排水口１０２に挿通されるとともに、前記鍔部２２が底壁部１０１の表面上に載置された状態で、排水口１０２に挿設されている。
【００３１】
加えて、排水口部材２に対して、浴槽１００から排出される水の流路となる筒状の配管１０３が取付けられることで、排水口１０２と配管１０３とが直列的に接続されている。より詳しくは、配管１０３は、自身の端部内周面に前記雄ねじ部２１を螺合可能な雌ねじ部１０３Ａを備えており、当該雌ねじ部１０３Ａに前記雄ねじ部２１を螺合し、前記鍔部２２と配管１０３の上端面との間で底壁部１０１を挟み込むことにより、排水口部材２に配管１０３が取付けられるとともに、排水口部材２と配管１０３とが直列的に接続されている。
【００３２】
さらに、底壁部１０１の背面と、配管１０３の上端面との間には、ゴムや樹脂等の弾性材料からなる環状のシール部材５が設けられている。シール部材５は、配管１０３に対する排水口部材２の螺合に伴い、底壁部１０１の背面及び配管１０３の上端面で挟圧された状態となっており、その結果、排水口１０２からの排水時における漏水防止が図られている。尚、漏水防止をより確実に図るべく、前記鍔部２２と底壁部１０１の表面との間に、弾性材料からなる環状のシール部材を配置してもよい。
【００３３】
栓蓋３は、金属や樹脂等により形成されており、排水口１０２に設けられている。また、栓蓋３は、自身の表面が浴槽１００の表面に表れる傘状部３１と、当該傘状部３１の背面中央に設けられたガイド部３２とを備えている。傘状部３１は、自身の表面がステンレス等からなる薄肉の被覆部３１Ａで覆われており、その結果、外観品質の向上が図られている。
【００３４】
また、ガイド部３２は、樹脂により筒状に形成されており、自身の軸方向に沿って延びる切り欠き部（図示せず）を周方向に沿って間欠的に複数備えている。そして、前記切り欠き部の幅を変化させることで、前記ガイド部３２は、径方向に沿って弾性変形可能とされている。
【００３５】
さらに、栓蓋３のうち傘状部３１の背面側外周部には、ゴム等の弾性材料からなる環状シール部３３が設けられている。そして、環状シール部３３の外周縁全周が、接触対象部としての排水口部材２に対して接触することで、排水口１０２が閉鎖されるように構成されている。尚、本実施形態において、栓蓋３は、その比重が１よりも大きくなるように（つまり、水に沈むように）構成されており、自重のみで排水口１０２を閉鎖可能となっている。
【００３６】
支持軸機構４は、保持部材４１と、当該保持部材４１の内周に配置される支持部材４２とを備えている。
【００３７】
保持部材４１は、所定の樹脂により形成されており、前記支持部材４２を自身の内周にて保持する円筒状の外筒部４１Ａと、当該外筒部４１Ａの外周に設けられ、排水口部材２の内周形状に沿う環状をなす取付部４１Ｂとを備えている。外筒部４１Ａ及び取付部４１Ｂは、周方向に沿って間欠的に設けられた複数の連結部４１Ｃにより連結されており、外筒部４１Ａの中心軸と取付部４１Ｂの中心軸とが一致するように構成されている。また、連結部４１Ｃは、少なくとも排水口１０２を閉鎖した状態において、ガイド部３２の前記切り欠き部に配置される構成されている。
【００３８】
加えて、外筒部４１Ａの上端部には、径方向内側に突出する円環状の外筒蓋部４１Ｄが設けられており、外筒蓋部４１Ｄの内周には、外筒部４１Ａの中心軸方向に沿って延びる平面視円形状の孔部４１Ｅが形成されている。さらに、外筒部４１Ａの下端部は開口しているが、その下端部には、径方向内側に突出する下方支持部４１Ｆが形成されている。
【００３９】
また、外筒部４１Ａの少なくとも下端側には、外筒部４１Ａの中心軸方向に沿って延びる複数のスリット（図示せず）が設けられている。そして、支持部材４２は、前記スリットを拡幅することで拡径された外筒部４１Ａの下端側開口から外筒部４１Ａの内周へと挿入され、次いで、前記下端側開口の拡径を解除することにより、外筒蓋部４１Ｄ及び下方支持部４１Ｆによって挟み込まれた状態で、外筒部４１Ａの内周に配置されている。
【００４０】
さらに、取付部４１Ｂが、排水口部材２の内周に設けられた段差状の凹部２３に係止されることで、保持部材４１は、排水口部材２に取付けられ、ひいては排水口１０２に挿設された状態となっている。尚、保持部材４１を排水口部材２に取付けた状態では、外筒部４１Ａの下端側開口は拡径不能となり、ひいては外筒部４１Ａからの支持部材４２の抜け防止が図られる。
【００４１】
支持部材４２は、樹脂等からなり、棒状の支持軸４２Ａと、当該支持軸４２Ａの外周に位置する円筒状の内筒部４２Ｂとを備えている。支持軸４２Ａは、その上端部が前記孔部４１Ｅを通過可能に構成されている。
【００４２】
加えて、支持軸４２Ａには、押しボタン等により構成された操作部（図示せず）の変位を伝達するための伝達部材８１（例えば、金属製のワイヤー）の端部が接触可能に構成されている。そして、前記操作部の変位に伴い、伝達部材８１がその外周に設けられた外皮８２の内周にて往復移動することで、支持軸４２Ａが浴槽１００に対して上下動するようになっている。具体的には、支持軸４２Ａは、前記操作部の変位により、上方側の開放時位置（より詳しくは、図２に示すように、排水口１０２を開放する際の配置位置であり、支持軸４２Ａの最上昇端よりも若干下側の位置）と、前記開放時位置よりも下方側の閉鎖時位置（より詳しくは、図１に示すように、排水口１０２を閉鎖する際の配置位置）との間で上下動可能に構成されている。また、支持軸４２Ａは、前記操作部を操作する度に、前記開放時位置におけるロックと、ロック解除に伴う下動とが交互に行われるようになっている。
【００４３】
さらに、本実施形態において、栓蓋３は、自身のガイド部３２に外筒部４１Ａが挿入されることで、支持軸機構４に取付けられており、図２に示すように、少なくとも前記支持軸４２Ａが開放時位置に配置された状態において、支持軸４２Ａの上端面に載置されるように構成されている。すなわち、支持軸４２Ａに対する栓蓋３の取付方式は、支持軸４２Ａに対して栓蓋３が固定される方式ではなく、支持軸４２Ａ上に単に栓蓋３が載置される方式であり、支持軸４２Ａに対して栓蓋３が非固定の状態となっている。そして、支持軸４２Ａを前記開放時位置に配置することで、栓蓋３は支持軸４２Ａにより押し上げられ、その結果、排水口１０２が開放されるようになっている。一方で、図１に示すように、支持軸４２Ａを前記閉鎖時位置に配置することで、栓蓋３の環状シール部３３が排水口部材２に対して接触し、排水口１０２が閉鎖されるようになっている。尚、本実施形態では、排水口１０２を閉鎖した状態（つまり、支持軸４２Ａが前記閉鎖時位置に配置された状態）において、栓蓋３は支持軸４２Ａ及び外筒部４１Ａの上端面から離間するように構成されているが、排水口１０２を閉鎖した状態において、栓蓋３が支持軸４２Ａの上端面に接触するように構成してもよい。
【００４４】
さらに、本実施形態において、ガイド部３２の内周には、内周に向けて突出する環状の内向突部３２Ａが設けられており、ガイド部３２の外周に配置される保持部材４１（外筒部４１Ａ）の外周には、外周に向けて突出する環状の外向突部４１Ｇが設けられている。
【００４５】
外向突部４１Ｇは、ガイド部３２の内周に保持部材４１（外筒部４１Ａ）が正常に配置されている状態（つまり、ガイド部３２から保持部材４１が外れていない状態）において、内向突部３２Ａの配置位置よりも常に上方に位置するように構成されている。また、外向突部４１Ｇの最外周部を通過する仮想円の直径は、内向突部３２Ａの最内周部を通過する仮想円の直径よりも大きくなるように構成されている。これにより、外向突部４１Ｇは、ガイド部３２の内周に保持部材４１（外筒部４１Ａ）が配置されている状態において、例えば、支持軸４２Ａが勢いよく上動したとき等、支持軸４２Ａの上端面から栓蓋３が離間したとき（栓蓋３が支持軸４２Ａから外れそうになったとき）に、内向突部３２Ａに接触可能となっている。
【００４６】
さらに、本実施形態では、図３（ａ），（ｂ）に示すように、支持軸４２Ａが前記閉鎖時位置に配置された状態において、支持軸４２Ａの軸方向に沿った外筒部４１Ａの上端面の配置位置と、支持軸４２Ａの軸方向に沿った支持軸４２Ａの上端面の配置位置とがほぼ同一となるように構成されている。これにより、支持軸４２Ａが前記閉鎖時位置に配置された状態において、外筒部４１Ａの上端面と支持軸４２Ａの上端面との間にほとんど凹凸のない状態となり、支持軸機構４の上端面が平坦状となっている。尚、「支持軸４２Ａの軸方向に沿った外筒部４１Ａの上端面の配置位置と、支持軸４２Ａの軸方向に沿った支持軸４２Ａの上端面の配置位置とがほぼ同一」とあるのは、外筒部４１Ａの上端面の配置位置と支持軸４２Ａの上端面の配置位置とが支持軸４２Ａの軸方向に沿って同一位置にある場合だけでなく、外筒部４１Ａの上端面の配置位置に対して支持軸４２Ａの上端面の配置位置が、支持軸４２Ａの軸方向に沿って若干（例えば、１ｍｍ以下）だけずれている場合も含む。
【００４７】
さらに、本実施形態では、図１に示すように、保持部材４１（外筒部４１Ａ）のうち、内向突部３２Ａが外周に配置される部位の外径は、内向突部３２Ａの最内周部を通過する仮想円の直径よりも小さくなるように構成されているが、両者の径差は非常に小さなもの（例えば、１ｍｍ以下、より好ましくは、０．５ｍｍ以下）とされている。また、ガイド部３２のうち、外向突部４１Ｇが内周に配置される部位の内径は、外向突部４１Ｇの最外周部を通過する仮想円の直径よりも大きくなるように構成されているが、両者の径差は非常に小さなもの（例えば、１ｍｍ以下、より好ましくは、０．５ｍｍ以下）となるように構成されている。これらの構成により、支持軸４２Ａの上下動に伴い栓蓋３が移動する際には、内向突部３２Ａが保持部材４１（外筒部４１Ａ）の外周面に沿って移動するとともに、ガイド部３２の内周面が外向突部４１Ｇの最外周部に沿って移動するようになっている。すなわち、内向突部３２Ａ及び外向突部４１Ｇによって、栓蓋３の移動がガイドされるようになっている。
【００４８】
以上詳述したように、本実施形態によれば、支持軸４２Ａの上端面に栓蓋３が載置される構成であり、栓蓋３がその自重により排水口部材２に接触することで、排水口１０２が閉鎖されるように構成されている。従って、構造の簡素化、及び、良好な清掃性を実現することができる。
【００４９】
さらに、本実施形態では、支持軸４２Ａを勢いよく上動させた場合など、支持軸４２Ａの上端面から栓蓋３が離間したときに、内向突部３２Ａが外向突部４１Ｇへと接触可能となっている。従って、支持軸機構４から栓蓋３が外れてしまうことをより確実に防止することができる。
【００５０】
また、外向突部４１Ｇは、常に内向突部３２Ａの配置位置よりも上方に位置するように構成されている。従って、通常の使用時において支持軸４２Ａひいては栓蓋３を上下動させた際に、外向突部４１Ｇに対して内向突部３２Ａが接触することがない。これにより、支持軸４２Ａひいては栓蓋３をスムーズに移動させることができ、良好な操作性を確保することができる。
【００５１】
さらに、外向突部４１Ｇは、正常時における内向突部３２Ａの下限位置（より詳しくは、栓蓋３が正常に取付けられた支持軸４２Ａを閉鎖時位置に配置したときにおける内向突部３２Ａの位置）から上方側に大きく離れた位置に設けられている。従って、支持軸機構４に対する栓蓋３の取付が不完全であり、外向突部４１Ｇ上に内向突部３２Ａが乗る状態となった場合には、支持軸４２Ａを前記閉鎖時位置に配置したときに、正常時における栓蓋３の位置と比較して、栓蓋３の位置が上方側に大きくずれることとなる。すなわち、支持軸機構４に対する栓蓋３の取付が不完全であるときには、栓蓋３が上方側へと大きく突出した状態となる。そのため、栓蓋３を視認することや、浴槽１００から水が流出してしまう（浴槽１００に水を溜めることができない）といったことにより、使用者に対して、支持軸機構４に対する栓蓋３の取付が不完全であることを容易に認識させることが可能となる。
【００５２】
また、本実施形態では、少なくとも支持軸４２Ａが前記閉鎖時位置に配置された状態において、支持軸機構４の上端面が平坦状となるように構成されている。従って、清掃等のために、支持軸機構４から栓蓋３を取外した状態において、支持軸機構４の上端部の見栄えがよくなり、外観品質の向上を図ることができる。また、支持軸４２Ａの存在に起因する大きな凹凸が支持軸機構４の上端面に存在しないため、支持軸機構４を一層容易に清掃することができ、清掃性をさらに高めることができる。
【００５３】
加えて、本実施形態では、支持軸４２Ａの上下動に伴い栓蓋３が移動する際に、内向突部３２Ａが保持部材４１（外筒部４１Ａ）の外周面に沿って移動するとともに、ガイド部３２の内周面が外向突部４１Ｇの最外周部に沿って移動する。そのため、栓蓋３の移動時における、栓蓋３のガタツキを極めて効果的に抑制することができ、排水口１０２を閉鎖する際に、栓蓋３（環状シール部３３）を排水口部材２における狙いの部位へとより確実に接触させることができる。その結果、排水口部材２に対して栓蓋３（環状シール部３３）を一層確実に密着させることが可能となり、排水口１０２をより一層確実に閉鎖することができる。
〔第２実施形態〕
次いで、第２実施形態について、上記第１実施形態との相違点を中心に説明する。
【００５４】
本第２実施形態では、図４に示すように、支持軸４２Ａの上端部に、円柱状（円板状）の第１の磁石５１が設けられている。第１の磁石５１は、支持軸４２Ａの内部に設けられており、支持軸４２Ａの外部へと表れないように構成されている。
【００５５】
さらに、栓蓋３のうち支持軸４２Ａの上端部の上方に配置される部位には、第１の磁石５１に引き寄せられる第２の磁石５２が設けられている。本第２実施形態において、第２の磁石５２は、円柱状をなしており、その外径が第１の磁石５１の外径と同一又は第１の磁石５１の外径以上とされている。
【００５６】
以上、本第２実施形態によれば、両磁石５１，５２により、支持軸４２Ａに対して栓蓋３が引き寄せられるため、支持軸４２Ａから栓蓋３が外れにくくなり、内向突部３２Ａ及び外向突部４１Ｇを設けたことと相俟って、支持軸機構４からの栓蓋３の外れをより効果的に防止することができる。さらに、支持軸４２Ａの上端面に栓蓋３を載置するだけで、支持軸４２Ａに対して栓蓋３を安定した状態で取付けることができる。
【００５７】
加えて、本第２実施形態によれば、支持軸４２Ａの外部に第１の磁石５１が顕出せず、また、支持軸４２Ａの外部に第１の磁石５１に起因する段差や溝等が形成されなくなる。従って、外観品質及び清掃性の更なる向上を図ることができる。
〔第３実施形態〕
次に、第３実施形態について、上記第１実施形態との相違点を中心に説明する。
【００５８】
本第３実施形態では、図５に示すように、支持軸４２Ａの外周と内筒部４２Ｂの内周との間に、バネからなる戻し部材６１が設けられている。戻し部材６１は、内筒部４２Ｂの上端部に設けられ、径方向内側に突出する環状の突出部４２Ｃと、支持軸２４Ａの下方側に設けられた段差部４２Ｄとの間に挟み込まれた状態となっている。このため、戻し部材６１により、支持軸４２Ａには下方側に向けた力が加えられた状態となっている。
【００５９】
以上、本第３実施形態によれば、排水口１０２を閉鎖すべく支持軸４２Ａを下動させた際に、戻し部材６１からの力によって、支持軸４２Ａを前記閉鎖時位置へとより確実に移動させることができる。従って、排水口１０２を閉鎖する際に、支持軸４２Ａが前記閉鎖時位置へと戻らず、栓蓋３が排水口部材２から浮いてしまうことを効果的に防止できる。その結果、排水口部材２に対して栓蓋３をより確実に密着させることができ、排水口１０２のより確実な閉鎖を図ることができる。
【００６０】
尚、戻し部材６１に加えて、上記第２実施形態のように、第１、第２の磁石５１，５２を設けた場合には、両磁石５１，５２により栓蓋３が支持軸４２Ａに対して引き寄せられるため、戻し部材６１からの力が栓蓋３にも伝わることとなる。従って、排水口１０２の閉鎖時には、戻し部材６１から加わる力により、栓蓋３を排水口部材２に対して強く押し付けることができ、排水口１０２のより一層確実な閉鎖を図ることができる。
【００６１】
尚、上記実施形態の記載内容に限定されず、例えば次のように実施してもよい。勿論、以下において例示しない他の応用例、変更例も当然可能である。
【００６２】
（ａ）上記第２実施形態において、第１の磁石５１は、支持軸４２Ａの内部に設けられているが、第１の磁石５１を必ずしも支持軸４２Ａの内部に設ける必要はなく、支持軸４２Ａの外表部分に設けることとしてもよい。
【００６３】
（ｂ）上記実施形態では、支持軸４２Ａが前記閉鎖時位置に配置された状態において、支持軸４２Ａの軸方向に沿った外筒部４１Ａの上端面の配置位置と、支持軸４２Ａの軸方向に沿った支持軸４２Ａの上端面の配置位置とがほぼ同一となるように構成することで、支持軸機構４の上端面が平坦状となるように構成されている。しかしながら、支持軸機構４の上端面を平坦状とする手法は、これに限定されるものではない。従って、例えば、図６（ａ），（ｂ）に示すように、支持軸４２Ａの上端部を比較的大径に形成し、支持軸４２Ａの上端部の外径を外筒部４１Ａの外径と同程度のものとするとともに、支持軸４２Ａの上端部が常に外筒部４１Ａよりも上方に配置される構成とする（つまり、支持軸４２Ａの上端面により支持軸機構４の上端面が構成されるものとする）。その上で、支持軸４２Ａの上端面を平坦状に形成することで、支持軸機構４の上端面が平坦状となるように構成してもよい。尚、支持軸４２Ａの上端部を比較的大径とすることで、支持軸４２Ａの上端部に第１の磁石５１を設けるにあたり、第１の磁石５１のサイズ（外径）をより大きくすることができる。この場合には、第１の磁石５１の磁力をより効果的に、かつ、より容易に増大させることができる。第１の磁石５１の磁力を増大させることで、第１の磁石５１側に対する第２の磁石５２の引き寄せ力をより増大させることができ、支持軸機構４からの栓蓋３の外れ防止等を一層効果的に図ることができる。
【００６４】
尚、別体で設けられた円板状部材を支持軸４２Ａの上端部に設けることで、支持軸４２Ａの前記大径部分を形成することとしてもよい。
【００６５】
（ｃ）上記実施形態では、支持軸４２Ａの上下動に伴い栓蓋３が移動する際に、内向突部３２Ａは保持部材４１（外筒部４１Ａ）の外周面に沿って移動するとともに、ガイド部３２は、その内周面が外向突部４１Ｇの最外周部に沿って移動するように構成されている。これに対して、支持軸４２Ａの上下動に伴い栓蓋３が移動する際に、内向突部３２Ａのみが保持部材４１（外筒部４１Ａ）の外周面に沿って移動するように構成してもよいし、ガイド部３２の内周面のみが外向突部４１Ｇの最外周部に沿って移動するように構成してもよい。
【００６６】
（ｄ）上記実施形態では、排水口１０２を閉鎖する際に、栓蓋３の環状シール部３３が排水口部材２に接触するように構成されているが、排水口１０２を閉鎖するにあたって、栓蓋３（環状シール部３３）は必ずしも排水口部材２に接触しなくてもよい。従って、例えば、栓蓋３（環状シール部３３）が浴槽１００に接触することで、排水口１０２が閉鎖されるように構成してもよい。
【００６７】
（ｅ）上記実施形態における配管１０３の構成は例示であって、配管１０３の構成は特に限定されるものではない。従って、例えば、配管１０３として、内周面に雌ねじ部を有するリング状のものを用いてもよい。
【００６８】
（ｆ）上記実施形態において、排水栓装置１は、槽体としての浴槽１００に取付けられているが、排水栓装置１の取付対象は浴槽１００に限られるものではない。従って、排水栓装置１を、浴槽以外の槽体（例えば、洗面化粧台や流し台等）に取付けることとしてもよい。
【００６９】
（ｇ）上記実施形態において、栓蓋３は、その比重が１よりも大きくなるように（つまり、水に沈むように）構成されているが、前記両磁石５１，５２を設ける場合には、栓蓋３の比重が１以下であってもよい。栓蓋３の比重を１以下とすることで、排水口１０２を開閉する際に必要な力が軽減され、良好な操作性を得ることができる。尚、栓蓋３の比重を１以下とすると、支持軸４２Ａを勢いよく上動させた場合などに、支持軸機構４から栓蓋３が外れやすくなるが、内向突部３２Ａや外向突部４１Ｇの存在により、栓蓋３の外れをより確実に防止することができる。
【符号の説明】
【００７０】
１…排水栓装置、２…排水口部材（接触対象部）、３…栓蓋、４…支持軸機構、３２…ガイド部、３２Ａ…内向突部、４１…保持部材、４１Ｇ…外向突部、４２Ａ…支持軸、５１…第１の磁石、５２…第２の磁石、６１…戻し部材、１００…浴槽（槽体）、１０２…排水口。
【図１】
2015071898.tif 000003
【図２】
2015071898.tif 000004
【図３】
2015071898.tif 000005
【図４】
2015071898.tif 000006
【図５】
2015071898.tif 000007
【図６】
2015071898.tif 000008
【図７】
2015071898.tif 000009